(57)【要約】【課題】  商品を注文するための情報を商品カタログに印刷するにあたり，商品画像を損なうことなく，また，専用のスペースを必要としないようにする。【解決手段】  商品カタログ１００には，商品カタログを特定するための情報と商品カタログ上の埋め込み位置に関する情報とを検出可能な地紋が印刷されており，携帯電話２００は，商品カタログに印刷された地紋を撮影する撮影部２１０を備え，商品販売者サーバ３００は，商品カタログに印刷された各商品について，商品カタログを特定するための情報と商品カタログ上の商品の印刷位置に関する情報とを蓄積する商品データベース３２０を備える。商品カタログの商品に関する文字情報の背景に地紋を埋め込むことができるので，目立つことがなく，また，専用のスペースを必要としない。【選択図】  図１
2006185141.tif 000002
【特許請求の範囲】
【請求項１】
商品に関する情報が印刷された印刷物と，商品購入者が商品の購入に使用する商品購入者端末と，商品販売者が商品の販売に使用する商品販売者サーバと，を含み，前記購入者端末と前記商品販売者サーバとが通信を行う商品購入システムであって，
前記印刷物には，前記印刷物を特定するための情報と前記印刷物上の埋め込み位置に関する情報とを検出可能な地紋が印刷されており，
前記商品購入者端末は，前記印刷物に印刷された地紋を撮影する撮影部を備え，
前記商品販売者サーバは，
前記印刷物に印刷された各商品について，前記印刷物を特定するための情報と前記印刷物上の前記商品の印刷位置に関する情報と商品の情報とを関連付けて蓄積する商品データベースと，
前記商品購入者端末から送信される前記地紋から，前記印刷物を特定するための情報と前記地紋の埋め込み位置に関する情報とを検出する地紋検出部と，
前記印刷物を特定するための情報と前記地紋の埋め込み位置に関する情報とをもとに，前記商品データベースを検索して，前記商品購入者端末からの商品注文を特定する商品検索部と，
を備えたことを特徴とする，商品購入システム。
【請求項２】
商品に関する情報が印刷された印刷物と，商品購入者が商品の購入に使用する商品購入者端末と，商品販売者が使用する商品販売者サーバと，を含む商品購入システムであって，
前記印刷物には，前記印刷物を特定するための情報と前記印刷物上の埋め込み位置に関する情報とを検出可能な地紋が印刷されており，
前記商品購入者端末は，
前記印刷物に印刷された地紋を撮影する撮影部と，
前記地紋から，前記印刷物を特定するための情報と前記地紋の埋め込み位置に関する情報とを検出する地紋検出部と，を備え，
前記商品販売者サーバは，
前記印刷物に印刷された各商品について，前記印刷物を特定するための情報と前記印刷物上の前記商品の印刷位置に関する情報とを蓄積する商品データベースと，
前記商品購入者端末から送信される前記印刷物を特定するための情報と前記地紋の埋め込み位置に関する情報とをもとに，前記商品データベースを検索して，前記商品購入者端末からの商品注文を特定する商品検索部と，
を備えたことを特徴とする，商品購入システム。
【請求項３】
前記地紋は，前記印刷物に印刷された商品に関する文字情報の背景に重ねて印刷されていることを特徴とする，請求項１または２に記載の商品購入システム。
【請求項４】
前記地紋は，視覚的に意味のある図柄を形成するように印刷物の一部の領域に印刷されることを特徴とする，請求項１〜３のいずれかに記載の商品購入システム。
【請求項５】
前記地紋は，カラーで印刷されることを特徴とする，請求項１〜４のいずれかに記載の商品購入システム。
【請求項６】
商品に関する情報を検出可能な地紋が印刷されており，商品購入者が所定の端末で前記地紋を撮影することで前記商品に関する情報を検出して商品の購入が可能な印刷物であって，
前記地紋は，前記印刷物を特定するための情報と，前記印刷物上の埋め込み位置に関する情報とを含むことを特徴とする，印刷物。
【請求項７】
前記地紋は，前記印刷物に印刷された文字の背景に重ねて印刷されていることを特徴とする，請求項６に記載の印刷物。
【請求項８】
前記地紋は，視覚的に意味のある図柄を形成するように印刷物の一部の領域に印刷されることを特徴とする，請求項６または７に記載の印刷物。
【請求項９】
前記地紋は，カラーで印刷されることを特徴とする，請求項６〜８のいずれかに記載の印刷物。
【請求項１０】
携帯端末に，請求項６〜９のいずれかに記載の前記印刷物から前記地紋を撮影する機能を付与することを特徴とする，携帯端末に組み込み可能なコンピュータプログラム。
フォーカスに合う位置に誘導する仕組み
【請求項１１】
前記携帯端末に，前記地紋から前記印刷物を特定するための情報と地紋の埋め込み位置に関する情報とを検出する機能を付与することを特徴とする，請求項１０に記載のコンピュータプログラム。
【請求項１２】
前記携帯端末に，前記印刷物上に前記地紋が存在しない場合に撮影した画像を削除する機能を付与することを特徴とする，請求項１０または１１に記載のコンピュータプログラム。
【発明の詳細な説明】
【技術分野】
【０００１】
本発明は，商品購入システムおよびその関連技術にかかり，特に，商品に関する情報が印刷された商品カタログ等の印刷物から商品を注文するにあたり，撮影機能を有する携帯電話等を利用可能な商品購入システムおよびその関連技術に関する。
【背景技術】
【０００２】
近年，商品カタログを用いた商品購入システム（通信販売）の市場規模が急速に拡大している。商品購入者は，商品カタログを用いることにより，自宅にいながら商品を購入することができる。またこのような商品購入システムでは，深夜の利用や２４時間利用できるものもあり，その利便性は非常に高い。また，商品販売者としても，商品購入者によるいわゆる衝動買いを起因できるため，商品カタログを用いた商品購入システムによる販売促進効果は極めて大きい。このため，商品カタログのデザインなどにもさまざまな工夫が凝らされており，その結果，商品カタログは雑誌のように一般家庭に広く頒布されて愛読されている。
【０００３】
従来の商品購入システムでは，商品購入者による商品の注文には主に電話や葉書が用いられていた。しかしながら，近年の携帯電話等の携帯端末の機能の充実に伴い，携帯電話を用いた商品購入システムが試みられている。この携帯電話を用いた商品購入システムでは，商品カタログに，商品に関する情報を検出可能な２次元コード（またはバーコードなど）が印刷されている（例えば，特許文献１，２参照。）。図１３は商品カタログに２次元コードが印刷された状態を示す説明図であり，商品に関する文字情報に２次元コードＹが並記されている。そして，商品購入者は，この２次元コードＹを携帯電話の撮影機能を利用して撮影する。携帯電話にはこの２次元コードから商品に関する情報を読み取る機能が備わっている。そして，読み取った情報を携帯電話の通信機能を用いて商品販売者に送信し，商品の注文を行う。
【０００４】
【特許文献１】特開２００２−１１１９０９号公報
【特許文献２】特開２００３−２９６６５９号公報
【発明の開示】
【発明が解決しようとする課題】
【０００５】
しかしながら，上記従来の商品購入システムにおいて，２次元コードが印刷された商品カタログには次のような問題点があった。すなわち，２次元コードを用いた方法（図１３）では，２次元コードを印刷するための専用のスペースが必要なため，商品カタログの枚数の増加につながるという問題があった。１つの商品販売会社が発行する商品カタログの発行部数は，日本国内だけでも年間で億単位にのぼる場合もあり，わずかなスペースの増加や枚数の増加が多大なコスト増を生むことがある。また，２次元コードは，一般に，黒色の点や線の組み合わせで構成されるため，見た目が悪く，カタログのデザイン面での問題もあった。このような観点から，商品カタログに２次元コードを印刷する方法は現実的でない。
【０００６】
また，特許文献２には印刷する２次元コードが紙面を圧迫しないようにする工夫がなされたシステムが開示されているが，そのためにシステムが複雑になるという問題点があった。
【０００７】
本発明は，従来の商品購入システムが有する上記問題点に鑑みてなされたものであり，本発明の目的は，商品を注文するための情報を商品カタログに印刷するにあたり，専用のスペースを必要としない，新規かつ改良された商品購入システムおよびその関連技術を提供することである。
【課題を解決するための手段】
【０００８】
上記課題を解決するため，本発明の第１の観点によれば，商品に関する情報が印刷された印刷物（１００）と，商品購入者が商品の購入に使用する商品購入者端末（２００）と，商品販売者が商品の販売に使用する商品販売者サーバ（３００）と，を含み，購入者端末と商品販売者サーバとが通信を行う商品購入システム（１０）が提供される。本発明の商品購入システムにおいて，印刷物（１００）には，印刷物を特定するための情報と印刷物上の埋め込み位置に関する情報とを検出可能な地紋が印刷されており；商品購入者端末（２００）は，印刷物に印刷された地紋を撮影する撮影部（２１０）を備え；商品販売者サーバ（３００）は，印刷物に印刷された各商品について，印刷物を特定するための情報と印刷物上の商品の印刷位置に関する情報と商品の情報とを関連付けて蓄積する商品データベース（３２０）と，商品購入者端末から送信される地紋から，印刷物を特定するための情報と地紋の埋め込み位置に関する情報とを検出する地紋検出部（３３０）と，印刷物を特定するための情報と地紋の埋め込み位置に関する情報とをもとに，商品データベースを検索して，商品購入者端末からの商品注文を特定する商品検索部（３４０）と，を備えたことを特徴とする（請求項１）。
【０００９】
かかる商品購入システムによれば，まず，印刷物（商品カタログなど）について以下のような効果がある。商品に関する文字情報などの背景に地紋を埋め込むことができるので（請求項３），目立つことがなく，また，専用のスペースを必要としないという効果がある。例えば，２次元コードのような，商品の文字情報のほかに一定の領域を必要とする手法を用いると，専用のスペースが必要なため，印刷物の分量の増加あるいは文字情報や画像情報を減縮する必要が生じるという不利益がある。この点，本願システムのように，商品の文字情報の背景に地紋を埋め込むことで，目立つことがなく，また，専用のスペースを必要としないという効果がある。また，地紋はバーコードや２次元コードに比べて見た目もよく，デザイン性にも優れている。
【００１０】
また，上記の商品購入システムの変更例として，商品購入者端末で地紋から情報を検出し，その検出された情報を商品販売サーバに送信するようなシステム構成とすることも可能である。すなわち，本発明の他の商品購入システムは以下の構成を採用する。
【００１１】
本発明の他の商品購入システムにおいて，印刷物（１００）には，印刷物を特定するための情報と印刷物上の埋め込み位置に関する情報とを検出可能な地紋が印刷されており；商品購入者端末（２００）は，印刷物に印刷された地紋を撮影する撮影部（２１０）と，地紋から，印刷物を特定するための情報と地紋の埋め込み位置に関する情報とを検出する地紋検出部（２６０）と，を備え；商品販売者サーバ（３００）は，印刷物に印刷された各商品について，印刷物を特定するための情報と印刷物上の商品の印刷位置に関する情報とを蓄積する商品データベース（３２０）と，商品購入者端末から送信される印刷物を特定するための情報と地紋の埋め込み位置に関する情報とをもとに，商品データベースを検索して，商品購入者端末からの商品注文を特定する商品検索部（３４０）と，を備えたことを特徴とする（請求項２）。
【００１２】
かかる商品購入システムによれば，上記と同様の効果が得られるほか，商品購入者端末と商品販売者サーバとの間の通信トラフィック量を削減する効果がある。また，商品購入者端末において地紋の読み取りに失敗した場合には，すぐに再度の地紋の取得（再撮影）を促すことができ，利便性が高い。
【００１３】
上記の商品購入システムの応用例として，地紋に様々なデザイン性を持たせることが可能である。例えば，地紋は，視覚的に意味のある図柄（例えば，撮影箇所を示すカメラのマークや，商品販売者のロゴマークなど）を形成するように印刷物の一部の領域に印刷されるようにしてもよい（請求項４）。また，地紋は，カラーで印刷される（例えば，印刷物に印刷された商品に関する文字情報とは異なるカラーで印刷される）ようにしてもよい（請求項５）。
【００１４】
かかる応用例によれば，商品の文字情報に，デザインしたロゴなどを重ねて印刷することができるので，印刷物としてのデザイン性に優れている。また，地紋で撮影箇所を表示する（例えば，地紋でカメラの絵を表現する）ことにより，当該箇所を商品購入者端末で撮影すれば商品の注文ができることを暗示することができ，印刷物としての実用性にも優れている。このようにして，印刷物の付加価値を高め，ひいては商品購買意欲の向上にも効果がある。
【００１５】
上記課題を解決するため，本発明の第２の観点によれば，商品に関する情報を検出可能な地紋が印刷されており，商品購入者が所定の端末で地紋を撮影することで商品に関する情報を検出して商品の購入が可能な印刷物（１００）が提供される。本発明の印刷物において，地紋は，印刷物を特定するための情報と，印刷物上の埋め込み位置に関する情報とを含むことを特徴とする（請求項６）。かかる印刷物を用いることにより，例えば上述のような優れた効果を奏する商品購入システムを構築することが可能である。
【００１６】
上記と同様に，本発明の印刷物においても，以下のような応用が可能である。すなわち，地紋は，印刷物に印刷された文字の背景に重ねて印刷されていてもよい（請求項７）。また，地紋は，視覚的に意味のある図柄（例えば，撮影箇所を示すカメラのマークや，商品販売者のロゴマークなど）を形成するように印刷物の一部の領域に印刷されるようにしてもよい（請求項８）。また，地紋は，カラーで印刷される（例えば，文字とは異なるカラーで印刷される）ようにしてもよい（請求項９）。
【００１７】
上記課題を解決するため，本発明の第３の観点によれば，携帯端末に，請求項６〜９のいずれかに記載の印刷物から地紋を撮影する機能を付与することを特徴とする，携帯端末に組み込み可能なコンピュータプログラムが提供される（請求項１０）。例えば，地紋のフォーカスの合う位置に携帯端末を誘導するような仕組みを設けることが可能である。
【００１８】
ここで，上記コンピュータプログラムはいかなるプログラム言語により記述されていてもよく，例えば，ＪＡＶＡアプリとして実現可能である。かかるコンピュータプログラムは，携帯端末に初めから組み込まれていてもよく，必要に応じて事後的に組み込むことも可能である。事後的に組み込む方法としては，例えばネットワークからダウンロードしたコンピュータプログラムや，記録媒体に記録されたコンピュータプログラムをインストールする方法がある。
【００１９】
このようなコンピュータプログラムの一例としては，例えば，携帯端末に，地紋から印刷物を特定するための情報と地紋の埋め込み位置に関する情報とを検出する機能を付与するコンピュータプログラムであってもよい（請求項１０）。携帯端末で地紋から情報を検出できるので，地紋を送信する必要が生じたときに，地紋をそのまま送信するよりも地紋から検出した情報を送信する方が，通信トラフィック量を削減する効果がある。また，携帯端末において地紋の読み取りに失敗した場合には，すぐに再度の地紋の取得（再撮影）を促すことができ，利便性が高い。
【００２０】
また，このようなコンピュータプログラムの他の一例としては，携帯端末に，印刷物上に地紋が存在しない場合に撮影した画像を削除する機能を付与するコンピュータプログラムであってもよい（請求項１１）。簡易な地紋検出機能を付与し，地紋の有無を検出処理を行うようにして，地紋が存在しないと判断した撮影画像を排除することが可能である。
【００２１】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００２２】
以上のように，本発明によれば，まず，印刷物（商品カタログなど）について以下のような効果がある。商品に関する文字情報などの背景に地紋を埋め込むことができるので，目立つことがなく，また，専用のスペースを必要としないという効果がある。例えば，２次元コードのような，商品の文字情報のほかに一定の領域を必要とする手法を用いると，専用のスペースが必要なため，印刷物の分量の増加あるいは文字情報や画像情報を減縮する必要が生じるという不利益がある。この点，本願システムのように，商品の文字情報の背景に地紋を埋め込むことで，目立つことがなく，また，専用のスペースを必要としないという効果がある。また，地紋はバーコードや２次元コードに比べて見た目もよく，デザイン性にも優れている。
【発明を実施するための最良の形態】
【００２３】
以下に添付図面を参照しながら，本発明にかかる商品購入システム，印刷物，およびコンピュータプログラムの好適な実施形態について詳細に説明する。なお，本明細書および図面において，実質的に同一の機能構成を有する構成要素については，同一の符号を付することにより重複説明を省略する。
【００２４】
（第１の実施形態）
本発明の第１の実施形態について説明する。本実施形態にかかる商品購入システム１０は，図１に示したように，商品に関する情報が印刷された商品カタログ１００と，商品購入者が商品の購入（注文）に使用する携帯電話２００と，商品販売者が使用する商品販売者サーバ３００を含んで構成されている。商品カタログ１００と携帯電話２００は商品購入者が利用し，商品販売者サーバ３００は商品販売者が使用する。以下に各システム構成要素について説明する。
【００２５】
（商品カタログ１００）
本実施形態では，商品に関する情報が印刷された印刷物の一例として商品カタログ１００を例に挙げて説明する。商品カタログ１００は，図２に示したように，商品に関する情報が地紋入り文字情報１４０および画像情報１２０として印刷されたものである。図２（ｂ）は，図２（ａ）の商品カタログ１００の地紋入り文字情報１４０の一部（参照符号Ａ）を拡大したものである。このように本実施形態の商品カタログ１００は，商品に関する文字情報の背景に地紋を重ねて印刷したことを特徴とする。
【００２６】
図３は，地紋入り文字情報を示す説明図である。
図３（ａ）に示した商品に関する文字情報１１０に，図３（ｂ）に示した地紋１３０を重ね合わせて，図３（ｃ）に示した地紋入り文字情報１４０が印刷される。かかる地紋入り文字情報１４０によれば，上記従来の電子透かしによる方法（図１３（ａ））と異なり，商品に関する画像情報を損なうことがない。また，上記従来の２次元コードによる方法（図１３（ｂ））と異なり，地紋を印刷するための専用のスペースを必要としない。
【００２７】
地紋は，商品カタログ１００を特定するための情報と，商品カタログ１００上の埋め込み位置に関する情報とを検出可能である。商品カタログ１００を特定するための情報とは，少なくとも商品カタログ１００の種類を特定できる情報（例えば，発行年月日，発行シリアル番号，女性カジュアル用，リビング用など）である。また，商品カタログ１００上の埋め込み位置に関する情報とは，地紋が埋め込まれている位置を特定できる情報（例えば，ページ番号，ページ上の位置（座標値，領域を特定する情報など）など）である。これらの情報は，後述の商品購入者端末３００の商品データベース３２０を検索するために用いられる。
【００２８】
地紋を利用した情報の埋め込みは，例えば，特開２００３−１０１７６２号公報（沖電気工業株式会社）に開示の技術を採用することができる。同文献に開示の技術を概説すると次の通りである。印刷物に埋め込む情報をデジタル化して数値に変換したものをＮ元符号化し（Ｎは２以上の自然数である。符号化されたビット列を「符号語」と称する。），符号語の各シンボルをあらかじめ用意したドットパターンに割り当てる。ドットパターンは，ドット（黒画素）の配列によって，例えば任意の波長（周波数）と方向を持つ波や，不連続性を有するドットの配列等を表現したものであり，所定のフィルタによって所定のシンボルを識別することができる。フィルタとしては，例えば，ガボールフィルタと称される局所的濃淡周波数を処理するフィルタ等を用いることができる。
【００２９】
本実施形態の商品カタログ１００には，上述の特開２００３−１０１７６２号公報に開示されたドットパターンにより情報を埋め込むことが可能である。図４は，地紋のパターンの一例を示す説明図である。図４に示したドットのサイズは，例えば，６００ｄｐｉ（１インチ当たり６００ドット）とすることができる。
【００３０】
図４では４つのパターンを例示しており，図中楕円囲みで示したように，ドットの方向または波長（周波数）を変えることにより，所定のフィルタで各パターンを識別可能である。そして例えば，パターン００に２ビットの情報“００”，パターン０１に２ビットの情報“０１”，パターン１０に２ビットの情報“１０”，パターン１１に２ビットの情報“１１”を割り当てることができる。そして，これらのパターンを繰り返し配置することにより，任意ビットの情報を表現することが可能である。なお，パターンの数と割り当てるビット数については任意に設定可能である。
【００３１】
このような地紋によれば，上述のように，商品カタログ１００を特定するための情報と，商品カタログ１００上の埋め込み位置に関する情報とを埋め込みおよび検出可能である。また，１パターン中のドットの数をすべて等しくしているため，これらのパターンを隙間なく，並べることにより，地紋の見かけの濃淡が均一となる。従って，図２に示したように，印刷された商品カタログ１００上では，商品に関する文字情報の背景に，単一の濃度を持つ模様が印刷されているように見える。さらに，地紋は，電子透かしや２次元コードに比べて汚れ耐性にも優れている。
【００３２】
なお，特開２００３−１０１７６２号公報に開示された技術は，本実施形態を実現するための一例に過ぎず，他の技術を採用してもよいことは言うまでもない。
【００３３】
以上，商品カタログ１００について説明した。
次いで，携帯電話２００について説明する。
【００３４】
（携帯電話２００）
本実施形態では，商品購入者が商品の購入に使用する商品購入者端末の一例として，携帯電話２００を例に挙げて説明する。図５は，携帯電話２００の構成を示す説明図であり，図５（ａ）は外観の概略図，図５（ｂ）は機能ブロック図である。なお，図５においては，本実施形態の説明に直接関係のない機能については図示を省略しており，以下でも説明を省略するが，一般的な携帯電話の機能が搭載されていることはいうまでもない。
【００３５】
携帯電話２００は，図５に示したように，商品カタログ１００に印刷された地紋を撮影する撮影部２１０と，後述の商品販売者サーバ３００との通信を行うための通信部２２０と，各種情報を記憶する記憶部２３０と，商品購入者が商品注文を行うための表示部２４０および操作部２５０と，を備えて構成されている。
【００３６】
撮影部２１０は，商品購入者が商品注文を行う際に，地紋を撮影するための機能部である。商品注文を行う際，商品購入者は，撮影部２１０により，図２に示した商品カタログ１００に印刷された地紋入り文字情報１４０の領域を撮影する。これにより商品カタログ１００に印刷された地紋が読み取られる。
【００３７】
通信部２２０は，後述の商品販売者サーバ３００との間で通信を行うための機能部である。通信部２２０を介して，撮影部２１０で撮影した地紋を商品販売者サーバ３００に送信することができる。
【００３８】
記憶部２３０には，本システムを実現するためのアプリケーションが記憶されている。このようなアプリケーションとしては，例えば，商品カタログ１００から地紋を読み取るための補助的なアプリケーションがある。例えば，地紋のフォーカスの合う位置に携帯電話２００を誘導するような仕組みを設けることが可能である。また，地紋の有無を検出する処理を行うようにして，地紋が存在しないと判断した撮影画像を排除することも可能である。このようなアプリケーションは，例えばＪＡＶＡアプリで実現可能である。
【００３９】
以上，携帯電話２００について説明した。
次いで，商品販売者サーバ３００について説明する。
【００４０】
（商品販売者サーバ３００）
商品販売者サーバ３００は，商品販売者が使用するサーバ装置（コンピュータ）である。図６は，商品販売者サーバ３００の構成を示す説明図である。なお，図６においては，本実施形態の説明に直接関係のない機能については図示を省略しており，以下でも説明を省略するが，一般的なサーバ装置（コンピュータ）の機能が搭載されていることはいうまでもない。
【００４１】
商品販売者サーバ３００は，図６に示したように，通信部３１０と，商品データベース３２０と，地紋検出部３３０と，商品検索部３４０と，を備えて構成されている。
【００４２】
通信部３１０は，上述の携帯電話２００との間で通信を行うための機能部である。通信部３１０を介して，携帯電話２００から商品の注文を受け付ける。この際，携帯電話２００からは地紋のデータが送信される。
【００４３】
商品データベース３２０は，商品カタログ１００に印刷された各商品について，商品カタログ１００を特定するための情報と，商品カタログ１００上の商品の印刷位置に関する情報とを蓄積している。図７は，商品データベース３２０の構成の一例を示す説明図である。商品データベース３２０は，図７に示したように，商品カタログ１００を特定するための情報であるカタログの種類３２１と，商品カタログ１００上の商品の印刷位置に関する情報であるページ番号３２２および位置３２３と，これら情報に対応付けられた商品３２４と，をキーとして含むデータベースである。
【００４４】
商品カタログ１００上の位置３２３のデータは，例えば，商品カタログ１００の紙面を複数の領域に区分し，その領域を特定するデータとすることができる。例えば，商品カタログ１００上を複数の矩形状の領域に区分し，例えば，座標（Ｘ１，Ｙ１）〜（Ｘ２，Ｙ２）の範囲を位置３２３のデータ“５”のように定めることができる。この位置３２３のデータは，上述のように，商品カタログ１００の地紋から検出可能であり，携帯電話２００により撮影された商品カタログ１００上の位置（座標値）と，商品３２４のデータとを対応付けるために用いられる。
【００４５】
地紋検出部３３０は，携帯電話２００から送信される地紋から，商品カタログ１００を特定するための情報（カタログの種類３２１）と，地紋の埋め込み位置に関する情報（ページ番号３２２および位置３２３）とを検出する機能部である。
【００４６】
商品検索部３４０は，地紋検出部３３０が検出した情報，すなわち，商品カタログ１００を特定するための情報と，地紋の埋め込み位置に関する情報とをもとに，商品データベース３２０を検索して，携帯電話２００からの商品注文（商品３２４）を特定する機能部である。
【００４７】
以上，本実施形態にかかる商品購入システム１０の構成について説明した。
次いで，本実施形態の動作について説明する。
【００４８】
（カタログ作成）
まず，図８を参照しながら，商品販売者における商品カタログの作成から商品購入者への商品カタログの配布までの動作について説明する。
【００４９】
まず，商品販売者において，商品カタログのデザインを作成し，商品カタログに地紋を埋め込むことで商品カタログを作成する（ステップＳ１０１）。地紋の埋め込みは所定の地紋埋め込みアプリケーションを利用して行われる（例えば，上述の特開２００３−１０１７６２号公報参照）。地紋の埋め込みは，所定のＡＳＰ（Application Service Provider）から地紋埋め込みアプリケーションの提供を受けて，この地紋埋め込みアプリケーションを用いて行ってもよい。あるいは，所定のＡＳＰに地紋の埋め込みを依頼するようにしてもよい。
【００５０】
次いで，商品カタログの種類，ページ番号，および位置情報をもとに，図７に示したような商品データベースを構築する（ステップＳ１０２）。商品データベースの構築は，商品販売者で行ってもよく，あるいは，所定のＡＳＰに，商品カタログの種類，ページ番号，および位置情報を提示して，商品データベースの構築を依頼するようにしてもよい。この場合，さらに，商品データベースの保守・更新等の管理そのものをＡＳＰに依頼するようにしてもよい。
【００５１】
以上のようにして完成した商品カタログは，一般的な手法により商品購入者へ配布される（ステップＳ１０３）。すなわち，所定の部数が印刷された後，街中で配布されたり，商品購入者へ直接配送されたり，あるいは，インターネットなどのネットワークからダウンロードされて印刷されたりなどさまざまな経路を経て，商品購入者へ配布される。
【００５２】
（カタログ注文）
次いで，図９を参照しながら，商品購入者と商品販売者との間における，商品購入（注文）の動作について説明する。
【００５３】
まず事前に，商品購入者の携帯電話２００には，商品購入のためのアプリケーションが組み込まれているものとする。このアプリケーションには，本システムを利用する際のユーザ認証機能や，地紋読み取りのための機能が含まれる。このアプリケーションは，携帯電話２００に初めから組み込まれていてもよい。あるいは事後的に，例えばインターネットからダウンロードすることにより組み込むようにしてもよい。この場合，アプリケーションは最初の一回だけダウンロードし，あとは携帯電話２００の記憶部２３０に保存しておけば，商品購入の度にダウンロードする必要はない。
【００５４】
商品購入のためのアプリケーションは，例えば商品販売者が開発したものを商品購入者に提供するようにしてもよい。あるいは，商品販売者が所定のＡＳＰにアプリケーションの作成を依頼してアプリケーションの供給を受け，これを商品購入者に提供するようにしてもよい。
【００５５】
まず，商品購入者により商品注文が行われる。まず，携帯電話２００上でアプリケーションを起動して，商品販売者にアクセスする（ステップＳ２０１）。例えば，インターネットなどのネットワークを介して商品販売者が運営するウェブサイトにアクセスしてログインする。商品提供者は，商品購入者からのアクセスに応じて，商品購入者のユーザ認証を行う（ステップＳ２０２）。ユーザ認証には例えば，ユーザＩＤとパスワードなどを用いた一般的な手法を採用することができる。認証後に，商品購入者は，商品カタログ１００のうち購入を希望する商品を選択し，携帯電話２００を用いて撮影する（ステップＳ２０３）。
【００５６】
携帯電話２００により商品の選択が行われると，携帯電話２００の通信部２２０から商品販売者サーバ３００に，商品の注文情報が送信される（ステップＳ２０４）。本実施形態では，商品の注文情報として，商品に対応する地紋が，携帯電話２００から商品販売者サーバ３００に送信される。かかる地紋の送信は，商品の選択ごと（撮影ごと）に送信されるようにしてもよく，あるいは，すべての商品を選択した後に，注文されたすべての商品に関する地紋が一括して送信されるようにしてもよい。
【００５７】
商品販売者サーバ３００の通信部３１０では，携帯電話２００から送信された地紋を受信する。そして，商品販売者サーバ３００の地紋検出部３３０では，受信した地紋から，商品カタログ１００を特定するための情報と，地紋の埋め込み位置に関する情報とが検出される（ステップＳ２０５）。
【００５８】
商品販売者サーバ３００の商品検索部３４０は，地紋検出部３３０が検出した情報，すなわち，商品カタログ１００を特定するための情報と，地紋の埋め込み位置に関する情報とをもとに，商品データベース３２０を検索する（ステップＳ２０６）。そして，商品データベース３２０の検索結果にもとづいて，携帯電話２００からの注文番号が特定される（ステップＳ２０７）。
【００５９】
特定された商品注文に関する情報は，商品販売者サーバ３００の通信部３１０から携帯電話２００に送信される（ステップＳ２０８）。携帯電話２００の表示部２４０には，商品購入に関する情報，例えば，商品名，数量，価格などが表示される。商品購入者は，これら商品購入に関する情報を確認し（ステップＳ２０９），内容が正しければ，正式な注文を行う（ステップＳ２１０）。
【００６０】
注文完了動作を受けて商品販売者サーバ３００では，商品の受注，決済，商品発送に関する手続が行われる（ステップＳ２１１）。
【００６１】
（第１の実施形態の効果）
かかる商品購入システムによれば，まず，商品カタログ１００について以下のような効果がある。商品に関する文字情報などの背景に地紋を埋め込むことができるので，目立つことがなく，また，専用のスペースを必要としないという効果がある。例えば，２次元コードのような，商品の文字情報のほかに一定の領域を必要とする手法を用いると，専用のスペースが必要なため，印刷物の分量の増加あるいは文字情報や画像情報を減縮する必要が生じるという不利益がある。この点，本実施形態のように，商品の文字情報の背景に地紋を埋め込むことで，目立つことがなく，また，専用のスペースを必要としないという効果がある。また，地紋はバーコードや２次元コードに比べて見た目もよく，デザイン性にも優れている。
【００６２】
（第２の実施形態）
本発明の第２の実施形態について説明する。
上記第１の実施形態では，携帯電話２００では地紋の撮影のみを行い，携帯電話２００から商品販売サーバ３００に地紋が送信されて，商品販売サーバ３００の地紋検出部３３０で地紋から情報を検出していた。本実施形態では，携帯電話２００で地紋から情報を検出し，その検出された情報を商品販売サーバ３００に送信する場合について説明する。なお，上記第１の実施形態との相違点についてのみ説明する。
【００６３】
上記第１の実施形態と同様に，商品購入者の携帯電話２００には，商品購入のためのアプリケーションが組み込まれているものとする。さらに本実施形態では，このアプリケーションに，地紋から情報を検出する機能が含まれているものとする。そして，携帯電話２００は，撮影した地紋から，商品カタログ１００を特定するための情報と，地紋の埋め込み位置に関する情報とを検出する機能を有する。すなわち，本実施形態の携帯電話２００は，図１０に示したように，上記第１の実施形態の構成に加えてさらに地紋検出部２６０を備える。地紋検出部２６０は，撮影部２１０で撮影した地紋から，商品カタログ１００を特定するための情報と，地紋の埋め込み位置に関する情報とを検出する機能部である。
【００６４】
さらに，本実施形態で携帯電話２００に組み込まれるアプリケーションには，携帯電話２００において地紋の読み取り（地紋からの情報の読み取り）に失敗した場合に，再撮影を促すような仕組みを設けることが可能である。携帯電話２００において地紋の読み取りに失敗した場合には，すぐに再撮影を促すことができ，利便性が高い。
【００６５】
一方，携帯電話２００として上記のような構成を採用する本実施形態では，図６に示した商品販売者サーバ３００において，地紋検出部３３０の機能は必要ないため，構成要素としては無くてもよい。そして，商品検索部３４０は，携帯電話２００から送られてくる情報（商品カタログ１００を特定するための情報と，地紋の埋め込み位置に関する情報）をそのまま利用して，商品データベース３２０を検索して，携帯電話２００からの注文番号を特定することが可能である。
【００６６】
以上，本実施形態の構成について説明した。
次いで，本実施形態の動作について説明する。
【００６７】
本実施形態では，図９に示した地紋検出（ステップＳ２０５）を，商品販売者側（商品販売者サーバ３００）ではなく，商品購入者側（携帯電話２００）で行うことになる。この際，上述のように，携帯電話２００において地紋検出に失敗した場合に，再撮影を促すことが可能である。そして，地紋送信（ステップＳ２０３）の際に，地紋そのものではなく，地紋から検出した情報を送信する。
【００６８】
その他の動作については，上記第１の実施形態と実質的に同様である。
【００６９】
（第２の実施形態の効果）
以上説明したように，本実施形態によれば，上記第１の実施形態と同様の効果が得られるほか，携帯電話２００と商品販売者サーバ３００との間の通信トラフィック量を削減する効果がある。また，携帯電話２００において地紋の読み取りに失敗した場合には，すぐに再撮影を促すことができ，利便性が高い。
【００７０】
また，本実施形態の応用例として，商品販売者サーバ３００は，携帯電話２００から送信される情報の種類に応じて動作を変えるようにしてもよい。すなわち，携帯電話２００から地紋が送信されてきた場合には，上記第１の実施形態と同様の動作を行う。一方，携帯電話２００から商品カタログ１００を特定するための情報と，地紋の埋め込み位置に関する情報とが送信されてきた場合には，地紋検出部３３０は機能せず，商品検索部３４０は，携帯電話２００から送られてくる情報をそのまま利用して，商品データベース３２０を検索して，携帯電話２００からの注文番号を特定することが可能である。
【００７１】
（第３の実施形態）
本発明の第３の実施形態について説明する。
本実施形態では上記第１，第２の実施形態の応用として，商品カタログ１００に印刷される地紋のバリエーションについて説明する。
【００７２】
図１１は，本実施形態にかかる地紋入り文字情報を示す説明図である。
図１１（ａ）に示した商品に関する文字情報１１０に，図１１（ｂ）に示した地紋４３０を重ね合わせて，図１１（ｃ）に示した地紋入り文字情報４４０が印刷される。本実施形態では，地紋４３０としてカメラの絵を表現したものを採用している。このような地紋は，地紋を構成するドットの密度を変化させることにより形成することができる。
【００７３】
このようなドットの密度を変化させる技術としては，例えば，特願２００３−１５０８０３号（沖電気工業株式会社）に記載の技術を採用することができる。図１２は，同文献に記載のドットパターンの一例を示す説明図である。図１２において，それぞれのドットパターンは，ドットの密度が異なるように構成される。ドットパターンＡは相対的に密度が低く，またドットパターンＢは相対的に密度が高く構成されている。例えば，ドットパターン００Ａとドットパターン００Ｂは，情報としてはともに２ビットの情報“００”を表すものであるが，ドットパターン００Ａよりもドットパターン００Ｂの方がドットの密度が高く構成されている。なお，ドットの密度に差を持たせるために追加／削除されるドットは，地紋の検出時の影響が少ないように配置される。
【００７４】
このように，密度の異なるドットパターンを組み合わせて配置することで，地紋全体として様々なデザインを形成することが可能である。すなわち，図３（ｂ）に示したような一様な地紋と，図１１（ｂ）に示したようなカメラの絵を表現した地紋とで，同じ情報を検出することが可能である。
【００７５】
なお，特願２００３−１５０８０３号の技術は，本実施形態を実現するための一例に過ぎず，他の技術を採用してもよいことは言うまでもない。
【００７６】
また，ドットの密度だけではなく，ドットのカラーを変化させることも可能である。このようにして，地紋によりさまざまなデザインを作成することができる。
【００７７】
（第３の実施形態）
以上説明したように，本実施形態によれば，商品の文字情報に，デザインしたロゴなどを重ねて印刷することができるので，商品カタログとしてのデザイン性に優れている。また，地紋でカメラの絵を表現することにより，当該箇所を携帯電話で撮影すれば商品の注文ができることを暗示することができ，商品カタログとしての実用性にも優れている。このようにして，商品カタログの付加価値を高め，ひいては商品購買意欲の向上にも効果がある。
【００７８】
以上，添付図面を参照しながら本発明にかかる商品購入システム，印刷物，およびコンピュータプログラムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００７９】
例えば，上記実施形態では，商品に関する情報が印刷された印刷物の一例として商品カタログを例に挙げて説明したが，本発明はこれに限定されず，例えば，ちらしのように紙面が一枚のものであってもよい。この場合，商品販売者サーバの商品データベース（図７）には，ページ番号に関する情報（ページ番号３２２に相当する情報）は不要となる。
【００８０】
また，上記実施形態では，商品購入者が商品の購入に使用する商品購入者端末の一例として携帯電話を例に挙げて説明したが，本発明はこれに限定されない。商品購入者端末の他の例としては，例えばスキャナが挙げられる。この場合，スキャナは，汎用のスキャナをそのまま利用することもでき，あるいは，上述の携帯電話２００の場合と同様に，適切なアプリケーションを組み込んだスキャナを利用することもできる。
【００８１】
また，本発明は，商品の購入（注文）の場合に限らず，サービス提供の注文（例えば，飲食店や美容院の予約，調査の依頼，保険の更新，家電製品の修理，情報の提供など）などにも適用可能である。すなわち，本発明は，印刷物に情報を埋め込んでおき，携帯電話等を用いてその情報にアクセスするあらゆる場面に応用可能である。
【産業上の利用可能性】
【００８２】
本発明は，商品購入システムおよびその関連技術に利用可能であり，特に，商品に関する情報が印刷された商品カタログ等の印刷物から商品を注文するにあたり，撮影機能を有する携帯電話等を利用可能な商品購入システムおよびその関連技術に利用可能である。
【図面の簡単な説明】
【００８３】
【図１】商品購入システム１０の構成を示す説明図である。
【図２】商品カタログ１００の構成を示す説明図である。
【図３】第１の実施形態にかかる地紋入り文字情報を示す説明図である。
【図４】第１の実施形態にかかる地紋の構成を示す説明図である。
【図５】第１の実施形態にかかる携帯電話２００の構成を示す説明図である。
【図６】商品販売者サーバ３００の構成を示す説明図である。
【図７】商品データベース３２０の構成を示す説明図である。
【図８】商品購入システム１０の動作を示す説明図である。
【図９】商品購入システム１０の動作を示す説明図である。
【図１０】第２の実施形態にかかる携帯電話２００の構成を示す説明図である。
【図１１】第３の実施形態にかかる地紋入り文字情報を示す説明図である。
【図１２】第３の実施形態にかかる地紋の構成を示す説明図である。
【図１３】従来の商品購入システムにおける商品カタログを示す説明図である。
【符号の説明】
【００８４】
１０  商品購入システム
１００  商品カタログ
１１０  商品に関する文字情報
１２０  商品に関する画像情報
１３０  地紋
１４０  地紋入り文字情報
２００  携帯電話
２１０  撮影部
２２０  通信部
２３０  記憶部
２４０  表示部
２５０  操作部
２６０  地紋検出部
３００  商品販売者サーバ
３１０  通信部
３２０  商品データベース
３３０  地紋検出部
３４０  商品検索部
４３０  地紋
４４０  地紋入り文字情報
【図１】
2006185141.tif 000003
【図２】
2006185141.tif 000004
【図３】
2006185141.tif 000005
【図４】
2006185141.tif 000006
【図５】
2006185141.tif 000007
【図６】
2006185141.tif 000008
【図７】
2006185141.tif 000009
【図８】
2006185141.tif 000010
【図９】
2006185141.tif 000011
【図１０】
2006185141.tif 000012
【図１１】
2006185141.tif 000013
【図１２】
2006185141.tif 000014
【図１３】
2006185141.tif 000015